(57)【要約】【課題】  サーバの公開期限制約に依存せずユーザの決めた公開期間に基づいて画像を公開する。【解決手段】  公開サーバに画像をアップする場合ユーザが指定公開期間をＤＴＶで定めてＤＴＶ内に保存する。画像をアップロード後、ユーザ指定公開期間を監視しサーバから有効期限通知メールを検知すると、ＤＴＶ内のユーザ指定公開期間と比較し、サーバ有効期限後もユーザの指定公開期間が残っている場合、自動的にサーバにアクセスし、サーバの有効期限を延長する。一方、ユーザ指定公開期限がきたことを検知すると、ＤＴＶがサーバ上の画像を自動的に削除する。【選択図】  図１
2009267789.tif 000002
【特許請求の範囲】
【請求項１】
データ保管にサーバ側が設定するサーバ設定保管期限のあるサーバ装置を備え、
データをサーバにアップロードした際、
ユーザ側で、保管期限を設定、保存するユーザ指定保管期限設定手段と、
前記サーバのサーバ設定保管期限にかかわらず、ユーザの設定した前記ユーザ指定保管期限内、サーバにデータの保管ができるサーバ保管制御手段を有することを
特徴とするデータ保管制御装置。
【請求項２】
保管期限が近づくと、サーバからの保管期限通知が送付されるようなサーバを備え、サーバ保管制御手段は、サーバからの保管期限通知を検知する保管期限通知手段を有し、前記保管期限通知を検知した際、ユーザ指定保管期限が、サーバ設定保管期限より長い場合は、サーバに対し、保管期限の延長処理を行う保管期限延長制御手段を有することを特徴とする
請求項１に記載のデータ保管制御装置。
【請求項３】
保管期限のあるデータに、アクセスすると保管期限が一定期間自動的に延長されるようなサーバにおいて、前記保管期限延長制御手段は、前記保管期限通知手段に基づき、保管期限のあるデータをアクセスすることを特徴とする
請求項１又は請求項２に記載のデータ保管制御装置。
【請求項４】
データをサーバにアップロードした際、サーバの設定するサーバ保管期限を保存するサーバ設定保管期限保存手段を有し、
サーバ保管制御手段は、ユーザ指定保管期限とサーバ設定保管期限を比較し、ユーザ指定保管期限より、サーバ設定保管期限が短い時は、サーバ設定保管期限前に、
該保管期限の対象データを削除し、再アップロードする
ことを特徴とする請求項１〜請求項３のいずれかに記載のデータ保管制御装置。
【請求項５】
データをサーバにアップロードした際、サーバの設定するサーバ保管期限を保存するサーバ設定保管期限保存手段と、サーバデータを削除する際の削除期日情報を設定、保存する削除期日情報設定保存手段を有し、
サーバ保管制御手段は、ユーザ指定保管期限とサーバ設定保管期限を比較し、ユーザ指定保管期限よりサーバ設定保管期限が長い場合、サーバ削除手段内の削除期日情報に基づき、サーバからアップロードしたデータを自動的に削除することを特徴とする
請求項１〜請求項４のいずれかに記載のデータ保管制御装置。
【請求項６】
テレビ放送と該放送に付随する番組情報を受信できる番組情報受信手段を有し、
ユーザ指定保管期限は、前記受信した番組情報に基づき設定されることを特徴とする請求項１〜請求項５のいずれかに記載のデータ保管制御装置。
【請求項７】
番組情報は、選択した番組の放送終了時刻に基づくものであることを特徴とする請求項１〜請求項６のいずれかに記載のデータ保管制御装置。
【発明の詳細な説明】
【技術分野】
【０００１】
本発明は、保管期限を有するサーバのデータ保管管理に関する。
【背景技術】
【０００２】
インターネット、デジタルカメラの普及に伴い、インターネット上で、ユーザの撮影した画像データを保管、公開するサービスを提供する画像公開サーバが数多く存在するようになっている。
【０００３】
このような公開サーバは、画像データの増加に伴い、必要な記憶領域がどんどん増加してしまうため、保管の期限を設定し、期限が来ると自動的に削除されるケースが多い。
【０００４】
また、有効期限内にアクセスがあると、保管期限が自動的に延長されるようにして、人気のある画像は保管しておくような処理を行っている画像公開サーバもある。
【０００５】
一方で、画像公開する場合、ユーザは、サーバの保管期限制約に依存せず、ユーザの決めた保管期限に基づいて、画像を公開したいという要求もある。
【０００６】
これら、有効期限のあるサーバでデータを管理する方法として、以下のような方法が提案されている。
特許文献１：
《目的》
必要なメールがサーバのメール・ボックスから自動的に削除されるのを防ぎ、更に不要になったメールを早期に削除するメール・ボックスの容量を無駄に消費することを防ぐこと。
【０００７】
《手段》
サーバ内のメールの有効期限をユーザ側で設定し、サーバ側で、前記有効期限に従ってメールの削除を行う。
特許文献２：
《目的》
ユーザがネットワーク上のサーバ装置に保管したデータを参照又は操作する際に、保管期限が近いことを警告表示したい。
【０００８】
《手段》
フォトサイトが、ユーザの情報処理装置からネットワークを介してアップロードされた画像データを所定期限の間保管し、保管したデータに対するユーザの情報処理装置からの参照又は操作要求に応じて保管期限が近いか否かを判定し、保管期限が近いと判定すると、ユーザの情報処理装置に対して、保管期限が近いことを示す情報をメール通知する。
【特許文献１】特開2000-353129号公報（電子メール管理方法／株式会社日立）
【特許文献２】特開2005-010922号公報（サーバ装置及びその通知方法／キヤノン）
【発明の開示】
【発明が解決しようとする課題】
【０００９】
しかしながら、引用件では、サーバ側に有効期限がある場合、メールを通して有効期限をお知らせするが、ユーザはこの通知メールを確認し、サーバにアクセスしなければならず面倒であった。
【００１０】
また、該通知メールを見落とし、サーバから削除されてしまうことがあった。
【００１１】
本発明では、これらの点に鑑み、ユーザが保管期限を指定すれば、サーバの設定する保管期限によらず、ユーザの指定した保管期限の間、サーバに画像データを保管、公開できることを目的としている。
【課題を解決するための手段】
【００１２】
データ保管にサーバ側が設定するサーバ設定保管期限のあるサーバ装置において、
ユーザ側で、保管期限を設定、保存するユーザ指定保管期限設定手段と、
前記サーバのサーバ設定保管期限にかかわらず、ユーザの設定した前記ユーザ指定保管期限内、サーバにデータの保管ができるサーバ保管制御手段を有することにより
ユーザが指定した保管期限の間、公開サーバで画像を公開できるデータ保管制御装置を提供する。
【００１３】
本件と先行技術の相違点：
特許文献１：
《相違点》
先行件は、サーバ内のメールの有効期限をユーザ側で設定し、サーバ側で、有効期限に従って実際の削除を行う。
【００１４】
本件は、サーバ内の画像の公開期限をユーザ（DTV）が設定し、サーバの有効期限とユーザ指定公開期限を比較し、DTV側から有効期限の延長を行う。
特許文献２：
《相違点》
先行件は、サーバ側に有効期限がある場合、メールを通して有効期限をお知らせするが、有効期限がくれば、削除されてしまう。
【００１５】
本件は、お知らせ後、自動的に有効期限の延長を行うため削除されない。
【発明の効果】
【００１６】
請求項1〜請求項３については、
［効果］ユーザが指定した保管期限が、公開サーバで画像を公開できる。
【００１７】
［理由］ユーザが指定した保管期限が、公開サーバ側で設定される保管期限より長い場合でも、DTVがユーザ指定の保管期限をDTVが監視し、自動延長する。
【００１８】
請求項５については、
［効果］ユーザが指定した保管期限が、公開サーバで画像を公開できる。
【００１９】
［理由］DTVがユーザ指定の保管期限をDTVが監視し、保管期限が来ると自動的に削除する。
【００２０】
請求項６、請求項７については、
［効果］：ユーザが指定した番組の放送終了に合わせて保管期限を決定できる。
【００２１】
［理由］：番組情報を受信し、番組表で選択した番組の番組情報より放送終了時刻を算出し、この時刻に基づいて保管期限を設定する。
と言う効果がある。
【発明を実施するための最良の形態】
【００２２】
次に、本発明の詳細を実施例の記述に従って説明する。
【００２３】
以下、本発明をTV装置1.1に適用した場合についての実施の形態について説明する。
【００２４】
図１は、本発明第１の実施例の構成全体を示す図である。
【００２５】
TV装置1.1は、放送局よりのテレビ受信、映像及び、TV内に保存された画像データの表示、また、後述公開サーバへの画像データのアップロード、削除、また、サーバ上の画像データの表示、閲覧を操作、制御する。
【００２６】
リモコン装置1.2は、TVユーザが、前記TV装置1.１、また、TV装置1.1経由でインターネット上の公開サーバ装置1.3などを制御、操作するのに使用するものである。
【００２７】
公開サーバ1.3は、インターネット上に存在するインターネット接続ユーザが使用可能で、ユーザからの要求により、画像データを保管し、インターネット閲覧者が、画像を閲覧することが可能な、いわゆる公開サーバである。
【００２８】
該公開サーバは、サーバの専用アプリによってサーバにアップロード（保管処理）、削除を操作され、複数の画像をひとつのフォルダとして、フォルダ単位で管理され、保管された画像は、URL／画像フォルダ名／画像データ名で管理される。画像フォルダ名、画像データ名は、ユーザが指定可能である。該公開サーバは、公開サーバ側で決められたアップロードからの保管期限が設定されており、ユーザがアップロードして、最後にアクセスがあった時点から、前記保管期限が経過すると自動的に削除されるようになっている。また、自動で削除される一定日前（３日前など）に、メールにより、削除される画像フォルダのアクセスURLを記述したメールがユーザが指定したメールアドレスに送付される。
【００２９】
図２は、本発明第１の実施例のデータ保管制御装置全体をTV装置で実施した際のブロック図である。
【００３０】
チューナ部1.101は、受信したTV放送の高周波TV信号を増幅、希望局の選局を行い、映像／音声番組、各種データが混合されたTSデータを復調する。
【００３１】
データ分離部1.102は、前記TSデータを、映像／音声番組データと、後述する番組情報データ、データ放送データ（データ放送コンテンツ、各種メタデータ、制御文書、その他データ放送用データ）等に分離し、映像／音声番組データは、後述デコーダ部1.103へ、その他、番組情報データとデータ放送データを、データ保存部1.104へ保存する。
【００３２】
デコーダ部1.103は、前記分離された、映像データをデコードし、表示制御部へ出力する。
【００３３】
放送データ保存部1.104は、前記分離された、番組情報データ、データ放送データが保存される。
【００３４】
画像制御部1.133は、デコーダ部1.103よりの番組と、後述公開サーバ管理部1.152、ブラウザ部1.154からのデータ、後述表示器部1.134へ出力する。
【００３５】
1.134は、表示部であって、前記画像制御部1.133よりの画像データを表示する表示器である。
【００３６】
1.151は、画像データ保存部であって、公開サーバにアップロードされるデジタルカメラで撮影された画像データ、その他の画像データが保存されている。これらの画像は、後述1.163通信制御部経由で1.1TV装置外から取り込まれる。
【００３７】
公開サーバ管理部1.152は、公開サーバへのアップロード時、ユーザ指定保管期限を含むユーザ情報を設定する。  指定期限が放送番組と関連させる場合、放送データより番組情報を取得し、該番組情報に基づき、ユーザ指定保管期限を設定する。
【００３８】
また、前記設定の際、番組タイトル連動の設定がされている場合、アップロードする画像のデータ名を番組名＋連番に変更する。
【００３９】
後述サーバアップロードアプリケーションが起動されると、後述サーバ情報の取得と設定を行い、後述サーバ管理情報保存部1.154へ保存する。
【００４０】
画像がアップロードされると、ユーザ指定保管期限とサーバ保管期限、メール情報を監視し、状況に応じ、ユーザ指定保管期限前に公開サーバからアップロードした画像データが削除される前に、保管期限の延長処理を行い、ユーザ指定保管期限が来ると、公開サーバより画像データを削除する制御を行う。
【００４１】
管理情報保存部1.153は、前記公開サーバ1.152の制御により、後述するユーザ情報とサーバ情報を保存する。
【００４２】
公開サーバアップロードアプリケーション1.154は、前記公開サーバ管理部1.152によって起動され、必要に応じ、後述ブラウザ部と連動し、公開サーバへの接続、画像データのアップロード、削除、また、アップロードした画像データの表示を行う。
【００４３】
ブラウザ部1.155は、いわゆるインターネットブラウザであり、公開サーバへの接続、画像データの表示等を行う。
【００４４】
期限比較部1.156は、公開サーバ管理部1.152から、ユーザ指定期限とサーバ設定期限と指定期日を受け取り、ユーザ指定期限とサーバ設定期限を比較し指定された期日以内に達すると、公開サーバ管理部1.152に通知する。
【００４５】
通信制御部1.161は、ここでは図示しないルータ等を介し、インターネットと接続し、前記公開サーバ1.3と接続し、データの送受信を行う。また、インターネット閲覧等も行う。
【００４６】
メール送受信部1.162は、前記通信制御部1.161より、メールデータを受信する。
【００４７】
メール検知部1.163は、前記公開サーバ管理部1.152より取得した公開サーバの画像保管URLと、前記受信されたメールの内容（送信元ドレス、画像保管URLの記述有無と、削除、破棄などの単語検知）により、公開サーバからの画像データ削除予告メールであることを検知し、公開サーバ管理部1.152に通知する。
【００４８】
リモコン制御部1.181は、赤外線を利用したリモコン送受信制御部であって、TVユーザが操作するリモコン装置1.2とデータの送受信を行い、リモコンキーを要求する公開サーバ管理部、1.152、期限比較部1.156他、各部へ送信する。
【００４９】
時計部1.182は、現在年月日時を管理し、TV装置1.1内の公開サーバ管理部、1.152、1.156期限比較部他各部からの要求に対し、現在年月日時を送信する。
【００５０】
図３は、本実施例で使用されるリモコン装置1.2の詳細を示している。
【００５１】
本リモコン装置のキーボタンは、電源キー1.201aは、音量キー1.201bは、でＴＶ視聴時に使用される。数字キー1.201cは、TV視聴時の選局の他、各種アプリケーションにおいて、文字の入力に使用される。
【００５２】
データ放送キー1.201d（以後“ｄキー”と略す）は、データ放送への移行に使用され、メニューキー1.201eは、TVアプリケーション操作用に、カーソル及び決定キー、取り消しキー群1.201fは、データ放送、各種アプリケーションのボタン、GUIや、操作パネル等の操作を行うために使用される。カラーキー群1.201gは、赤キー、黄キー、青キー、緑キーの４つがあり、デジタルテレビや各種アプリケーションでファンクションキーとして使用される。
【００５３】
また、本リモコン装置は、表示装置1.202を具備し、時刻やメッセージの表示を行う。
【００５４】
本リモコン装置は、TV装置1.1のリモコン制御部1.181を通して、必要各部へキーコードを転送する。
【００５５】
図４は、前記TV装置1.1の管理情報保存部1.154に保存される公開サーバ管理情報の詳細を説明する図である。
【００５６】
該公開サーバ管理情報保存は、サーバ情報とユーザ情報の２つがある。
【００５７】
サーバ情報は、前述公開サーバアプリケーションによってアクセスされる公開サーバにアクセスするための情報であり、最初に公開サーバにアクセス、画像データをアップロードする際に自動で検出され、保存される。
【００５８】
自動で取得できない場合は、前述公開サーバ管理部1.152により、手動設定画面が提示され、手動でリモコン装置1.2より入力する。
【００５９】
サーバ情報としては、サーバ名、サーバのURL、ログインID、パスワード、公開サーバでの画像データ保存先、サーバ保管期限があり、保存する。また、アップロードする画像の画像データ名とTV装置1.1内での保存場所もサーバ情報として保存される。
【００６０】
公開サーバにアクセスすると自動的にサーバの保管期限が延長される公開サーバかどうかの設定もここで行う。
【００６１】
また、公開サーバ操作時の公開サーバへのアクセス、画像データのアップロード、削除操作履歴を保存し、公開サーバは、該操作を元に公開サーバの制御を行う。
【００６２】
ユーザ情報は、後述ユーザ指定保管期限と、自動削除設定、自動削除時の期日設定、また、後述番組連動設定があり、これらが設定、保存される。
【００６３】
なお、該公開サーバ管理情報は、公開サーバ別に保存され、最初の操作、設定で保存すると登録され、2回目のアップロード時からは、該保存されたサーバを選択することにより、再度、各種の設定を入力せずに画像データのアップロードが可能である。
【００６４】
図5は、ユーザ情報とユーザ指定保管期限設定の詳細を説明する図である。
【００６５】
図5の左図は、ユーザ情報設定画面を示している。
【００６６】
ユーザ指定保管期限は、公開期限日時を直接指定する年月日時指定、公開期間を指定する有効期間指定、TVの放送番組の終了日時をからの有効期間を指定する番組連動期限指定の３つが設定できるようになっており、図5の左図は、有効期間を8ヶ月に設定された画面の例である。
【００６７】
図５の右図は、後述する番組表より『阿寒湖の大自然』という番組の放送終了から7日という有効期間を指定した画面である。
【００６８】
自動削除設定は、ユーザ指定保管期限が来たら自動で削除するかどうかの設定を行う。
【００６９】
自動削除の期日設定は、ユーザ指定保管機嫌が来た場合、すぐ削除するのか、一定時間待つのかを設定する。本発明では、すぐ、1時間、1日の３つの中から選択するようになっている。
【００７０】
番組連動画像データ名変更は、後述番組連動設定を行った際、画像データをサーバにアップロードする際、画像データ名を自動的に番組名＋連番に変更するかどうかを設定するものである。
【００７１】
図6は、放送データ1.104内の番組情報より、生成される番組表を示しており、前記番組連動設定を選択すると、該番組表が自動的に表示され、該番組表から、前記リモコン1.2のカーソル、決定キー1.201f、カラーキー1.201f、で番組を選択する。この番組連動指定を選択した場合、後述するとおり、公開サーバ管理部は番組情報の監視を行い、選択した番組の放送時間が変更になる、またシリーズものの次回番組が発見されると、ユーザ指定保管期限も該変更に追従して変更される。
【００７２】
図７は、番組情報内に含まれる情報を示しており、前記、番組連動期限指定では、図７の放送日、開始時間、放送時間、シリーズ記述子より、放送終了時刻が特定され、これに、ユーザが設定する有効期間を加えた日時がユーザ指定保管期限となる。
【００７３】
番組放送時間は変更される可能性があるため、番組連動期限設定された場合は、設定後も、番組情報を監視し、番組放送時間が変更された場合は、該変更された放送開始日時に基づき、ユーザ指定保管期限を算出し直し、再設定する。
【００７４】
また、シリーズ記述子の設定により、シリーズものであることが判別できた場合は、最初の放送日時から一定期間内に同一シリーズ、同一番組タイトルの番組があるかどうか、番組情報を監視し、同一シリーズ、同一番組タイトルと判断した場合、該後の番組の放送開始日時を元に、ユーザ指定保管期限を算出し直し、再設定する。
【実施例１】
【００７５】
では、次に、第1の動作に関して、図９、図１０の動作の流れ図を用いて説明する。
【００７６】
アマチュア写真家が、自分の撮影した写真に関係する放送があることを知り、番組に関連した写真を、番組が放送終了後、1週間までの期間で公開するようなケースを想定している。
【００７７】
図９は画像をアップロードする動作である。
【００７８】
ユーザは、ます、公開サーバ管理アプリを起動する。(st1101)
すると、ユーザ公開管理部が起動し、公開サーバ選択画面が表示され、図8のサーバ選択画面が表示される。図８は、既に保存登録されている２つの公開サーバ管理情報がある場合で、該２つの保存登録サーバと新規サーバが選択可能となっている。保存登録サーバがない場合、新規サーバのみが選択可能となる。(st1102)
サーバを選択すると、まず、前記図７のユーザ指定保管期限設定画面を含むユーザ情報設定画面が表示され、ユーザはまず、ユーザ指定保管期限が来た場合、公開サーバ上の画像データの自動削除を行うかどうかを設定する。(st1103)
次に、ユーザ指定保管期限設定を行う。ここで番組連動設定でない場合は、手動で日時、期間を設定し(st1108)、番組連動指定を選択すると、番組表が表示され(st1105)、番組を選択し(st1106)、さらに、アップロード画像データ名を番組名＋連番にするかどうかの設定を行う。(st1107)
この設定が完了すると、前記設定したユーザ情報が、公開サーバ管理情報保存部1.152に保存され(st1109)、サーバアップロードアプリケーションを起動する(st1122)。
【００７９】
ユーザは、サーバアップロードアプリケーションに従い、ログインID、パスワードを入力し、公開したい画像を画像保存部1.151より選択、該画像データをサーバに画像データをアップロード動作を行う。(st1123)
この際、前述st1107で、アップロード画像データ名の番組名反映設定が設定されている場合、公開サーバ管理部1.152が、画像データ名を番組名＋連番と画像データ名を変更しサーバアップロードアプリケーションによってアップロードする。
【００８０】
この後、該公開サーバが新規サーバの場合(st1124)、操作履歴を公開サーバ管理情報保存部1.153への登録保存を行い(st1125)、サーバ情報として自動検出できた個所は自動設定を行い、この後、サーバ情報の不足設定情報の入力要求と、保存情報の確認を行い、必要であれば修正、追加入力を行う。(st1131)(st1132)
このようにして、ユーザ指定保管期限の設定と、公開サーバへの画像のアップロードが完了する。
【００８１】
図１０は、保管期限の制御の動作である。
【００８２】
前述画像データが公開サーバ管理部1.152の制御の元、公開サーバに画像データがアップロードされると、公開サーバ管理部1.152は、メール検出部1.163に、サーバURL、サーバ上での画像フォルダ名を送信し、期限通知メールを受信したかどうか調査する。(st1201)
通知メールがあった場合、公開サーバ管理情報保存部1.153のサーバ情報の『アクセスのみで自動更新可能かどうかの設定』を確認し（st1203）、自動更新可能な場合、対象となる画像保管先URLをアクセスすることで、公開サーバの保管期限延長処理を行い、公開サーバ管理情報保存部1.153のサーバ情報内のサーバ保管期限も更新する。（st1204）
自動更新可能でない場合、サーバアップロードアプリケーションを起動し、公開サーバ管理情報保存部1.153のサーバ情報の操作履歴情報を元に、対象画像保管先内の対象画像データを一度削除し（st1205）、TV内の画像データ保存場所より、再度画像データを読み出し、サーバに対し再アップロードを行い、1.153公開サーバ管理情報保存部、サーバ情報内のサーバ保管期限も更新する。(st1206)
st1201で、保管期限通知メールを受信がない場合、公開サーバ管理部1.152は、サーバ設定保管期限とサーバ保管期限、指定期日を期限比較部1.156へ送り、期限比較部1.156は、前記両期限を1.182時計部から現在日時を取得し、サーバ設定保管期限と比較し、サーバ保管期限直前日時かどうかを調査する。(st1221)
サーバ保管期限直前日時である場合、前記st1203へジャンプし、前述と同様、保管期限の延長処理を行う。
【００８３】
サーバ保管期限直前日時でもない場合、前述と同様、期限比較部1.156は、時計部1.182から現在日時を取得し、ユーザ指定保管期限直前日時かどうかを調査する(st1231)。
【００８４】
ユーザ指定保管期限日時であることを検知すると、公開サーバ管理部1.152に通知し、これを検知すると、公開サーバ管理部1.152は、自動削除設定がされているかと、自動削除期日情報を確認する。(st1231、st1233)
自動削除設定がされていない場合、ユーザに『ユーザ指定された公開期限になりますが、公開サーバ内の画像データは自動で削除されません』という、メッセージを表示し、公開サーバ管理アプリケーションを終了する。
【００８５】
自動削除設定がされている場合、自動削除期日設定時間待った後、公開サーバアプリケーションを起動し、公開サーバにアクセスし対応する画像データを削除し（st1235）、画像データが存在しないことを確認し（st1236）、削除できていない場合、『ユーザ指定された公開期限になりますが、公開サーバ内の画像データは自動で削除できませんでした』というメッセージを表示して、公開サーバ管理アプリケーションを終了する。（st1237）
なお、前記st1201、st1221、ｓｔ1231は、割り込みイベントとして発生し、発生した事象に応じ、st1203、st1232するように。
【図面の簡単な説明】
【００８６】
【図１】本発明実施形態の実施例の全体図
【図２】本発明実施形態のＴＶ装置1.1のブロック図
【図３】本発明実施形態のリモコンの図
【図４】本発明実施形態、公開サーバ管理情報の説明図
【図５】本発明実施形態、ユーザ指定有効期限設定の説明図
【図６】本発明実施形態、番組表の説明図
【図７】本発明実施形態、番組情報説明の図
【図８】本発明実施形態、サーバ選択画面の図
【図９】本発明実施形態、動作の流れの図１
【図１０】本発明実施形態、動作の流れの図２
【符号の説明】
【００８７】
1.1  TV装置
1.101  チューナ部
1.102  ・データ分離部部
1.103  AVデコード部
1.133  画像制御部
1.134  表示部
1.151  画像データ保存部
1.152  公開サーバ管理部
1.153  公開サーバ管理情報保存部
1.154  公開サーバアップロードアプリケーション部
1.155  ブラウザ部
1.156  期限比較部
1.161  通信制御部
1.162  メール送受信部
1.163  メール検出部
1.181  リモコン制御部
1.182  時計部
【図１】
2009267789.tif 000003
【図２】
2009267789.tif 000004
【図３】
2009267789.tif 000005
【図４】
2009267789.tif 000006
【図５】
2009267789.tif 000007
【図６】
2009267789.tif 000008
【図７】
2009267789.tif 000009
【図８】
2009267789.tif 000010
【図９】
2009267789.tif 000011
【図１０】
2009267789.tif 000012